(57)【要約】  内視鏡１は、挿入部５の先端部８に設けられた先端構成部２１と、先端構成部２１に着脱自在な先端カバー６１と、先端構成部２１に設けられた可動部４２と、可動部４２に設けられた接続部材４４と、牽引弛緩により可動部４２を駆動する牽引弛緩部材４１と、牽引弛緩部材４１に設けられ接続部材４４に着脱自在であって、先端カバー６１が先端構成部２１から取り外された状態において、接続部材４４から脱離自在な接続体４３と、先端と基端を有し、先端部８に配設され、基端が先端構成部２１と着脱自在に接続され、牽引弛緩部材４１が挿通する可撓性を備えたチューブ５１と、を備えている。
2019159507.tif 000002
【特許請求の範囲】
【請求項１】
挿入部の先端部に設けられた先端構成部と、
前記先端構成部に着脱自在な先端カバーと、
前記先端構成部に設けられた可動部と、
前記可動部に設けられた接続部材と、
牽引弛緩により前記可動部を駆動する牽引弛緩部材と、
前記牽引弛緩部材に設けられ前記接続部材に着脱自在であって、前記先端カバーが前記先端構成部から取り外された状態において、前記接続部材から脱離自在な接続体と、
先端と基端を有し、前記先端部に配設され、基端が前記先端構成部と着脱自在に接続され、前記牽引弛緩部材が挿通する可撓性を備えたチューブと、
を備えたことを特徴とする内視鏡。
【請求項２】
前記チューブは、基端が前記先端構成部に水密状態で接続され、先端の内周に前記牽引弛緩部材と水密保持する周方向に形成された凸部を有していることを特徴とする請求項１に記載の内視鏡。
【請求項３】
前記チューブは、基端部分に前記先端構成部との接続を水密保持する水密保持部材が設けられていることを特徴とする請求項１に記載の内視鏡。
【請求項４】
前記チューブは、前記先端構成部に装着された前記先端カバーの基端面に当接して前記先端構成部に押し付けられる外向フランジが基端部分に形成されていることを特徴とする請求項１に記載の内視鏡。
【請求項５】
前記接続部材は、前記牽引弛緩部材の長手方向に直交する短手方向に突出しており、
前記接続体は、前記接続部材に前記短手方向に沿って接続され、前記先端カバーの内側面によって前記接続部材との接続が外れないように規制されていることを特徴とする請求項１に記載の内視鏡。
【請求項６】
前記可動部は、前記先端部から導出する処置具の方向を可変するための前記先端構成部に回動自在に設けられる起上台または揺動台であることを特徴とする請求項１に記載の内視鏡。
【請求項７】
前記先端カバーの内面に形成された規制凸部と、
前記先端構成部に形成され、前記規制凸部が係合する規制凹部と、
を有していることを特徴とする請求項１に記載の内視鏡。
【請求項８】
前記先端構成部に設けられた係止凸部と、
前記先端カバーの内周部に形成され、前記係止凸部に係合する係止凹部と、
を有していることを特徴とする請求項１に記載の内視鏡。
【発明の詳細な説明】
【技術分野】
【０００１】
本発明は、挿入部の先端部に設けられた可動部材を操作ワイヤで駆動させる内視鏡に関する。
【背景技術】
【０００２】
従来、医療用分野においては、細長の挿入部を体腔内に挿入することにより、体腔内臓器などを観察することが出来る内視鏡が広く用いられている。体腔内臓器などの観察画像をモニターに表示させる場合には、内視鏡挿入部先端または後端の撮像部に電荷結合素子（ＣＣＤ）などの固体撮像素子を配設した内視鏡などが用いられている。【０００３】
内視鏡に設けた撮像素子から出力される信号は、電子内視鏡、外付けカメラなどとは別体の内視鏡の外部機器である画像処理装置によって映像信号化されてモニターに出力される。そして、別体に構成された電子内視鏡と画像処理装置との間は、内視鏡用コネクタを介して接続される。【０００４】
このような内視鏡には、先端部に鉗子などの処置具を起伏する可動部材である起上台などが設けられたものがある。例えば、日本国特開平６−３１５４５７号公報には、内視鏡使用中に鉗子起上操作ワイヤと操作ワイヤ案内管との間の隙間に先側から汚液などが侵入し難く、しかも使用後にはその隙間を容易に洗浄することができる内視鏡の鉗子起上装置が開示されている。【０００５】
ところで、日本国特開平６−３１５４５７号公報に開示されるように鉗子起上装置を備えた従来の内視鏡は、挿入部の先端部の起上台収納部において起上台を駆動する操作ワイヤにはチューブが被せられている。【０００６】
このような操作ワイヤが挿通するチューブは、起上台により起伏される処置具などが接触して損傷する場合があり交換修理する必要がある。また、使用前後の内視鏡は、操作ワイヤが挿通するチューブ内の洗浄消毒に手間が掛かり、洗浄消毒に時間が掛かり、医療従事者である洗浄消毒作業者の負担となっていた。【０００７】
そこで、本発明は、上記事情に鑑みなされたものあり、挿入部の先端部に設けられた可動部を駆動するワイヤを被覆するチューブの交換修理および洗浄消毒を容易にし、洗浄消毒時の医療従事者の負担を軽減する内視鏡を提供することを目的とする。
【発明の開示】
【課題を解決するための手段】
【０００８】
本発明の一態様における内視鏡は、挿入部の先端部に設けられた先端構成部と、前記先端構成部に着脱自在な先端カバーと、前記先端構成部に設けられた可動部と、前記可動部に設けられた接続部材と、牽引弛緩により前記可動部を駆動する牽引弛緩部材と、前記牽引弛緩部材に設けられ前記接続部材に着脱自在であって、前記先端カバーが前記先端構成部から取り外された状態において、前記接続部材から脱離自在な接続体と、先端と基端を有し、前記先端部に配設され、基端が前記先端構成部と着脱自在に接続され、前記牽引弛緩部材が挿通する可撓性を備えたチューブと、を備えている。
【図面の簡単な説明】
【０００９】
【図１】本発明の内視鏡の構成を示す側面図
【図２】同、挿入部の先端部の構成を示す斜視図
【図３】同、先端カバーが取り外された状態の先端部の構成を示す斜視図
【図４】同、先端部を上方から見た断面図
【図５】同、図４の円Ｖの拡大断面図
【図６】同、先端を側方から見た断面図
【図７】同、図６の円ＶＩＩの拡大断面図
【図８】同、内視鏡内部を模式的に示す断面図
【図９】同、先端カバーおよび可撓性チューブが外され、洗浄管路が接続された内視鏡内部を模式的に示す断面図
【図１０】同、先端カバーが外され、可撓性チューブが取り外された先端部を示す上面図
【図１１】同、第１の変形例のタグが取り付けられた可撓性チューブの構成を示す断面図
【図１２】同、第２の変形例の先端部を上方から見た断面図
【図１３】同、第２の変形例の可撓性チューブの構成を示す断面図
【図１４】同、第３の変形例の先端部を上方から見た断面図
【図１５】同、第３の変形例の可撓性チューブの構成を示す断面図
【図１６】同、第４の変形例の先端部を側方から見た断面図
【図１７】同、第４の変形例の可撓性チューブに挿通する起上台操作ワイヤの先端部分の構成を示す断面図
【図１８】同、第４の変形例のワイヤと起上台の接続状態を示す断面図
【図１９】同、第５の変形例の先端部を上方から見た断面図
【図２０】同、第５の変形例の先端部の上面図
【図２１】同、第６の変形例の先端部を側方から見た断面図
【図２２】同、第６の変形例のワイヤと起上台の接続状態を示す断面図
【図２３】同、第６の変形例の可撓性チューブが圧縮された状態の先端部を側方から見た断面図
【図２４】同、第６の変形例の可撓性チューブが圧縮された状態のワイヤと起上台の接続状態を示す断面図
【図２５】同、第６の変形例の先端カバーが取り外された先端部の構成を示す斜視図
【図２６】同、第６の変形例の可撓性チューブが圧縮された状態の先端カバーが取り外された先端部の構成を示す斜視図
【図２７】同、第６の変形例の先端カバーが取り外された先端部の側面図
【図２８】同、第７の変形例の視野方向が直視の内視鏡の先端部を示す分解斜視図
【図２９】同、第７の変形例の視野方向が直視の内視鏡の先端部を示す斜視図
【図３０】同、参考例の内視鏡の洗浄具を示す平面図
【発明を実施するための最良の形態】
【００１０】
ここでは、内視鏡の一態様を例に挙げて説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。【００１１】
また、以下の構成説明における内視鏡は、生体の上部または下部の消化器官などに挿入するため挿入部に可撓性のある所謂軟性鏡を例に挙げて説明するが、これに限定されることなく、外科用に用いられる挿入部が硬質な所謂硬性鏡にも適用できる技術である。【００１２】
（第１の実施の形態）
以下、本発明の一態様の内視鏡について、図面に基づいて説明する。  
なお、図１は、内視鏡の構成を示す側面図、図２は挿入部の先端部の構成を示す斜視図、図３は先端カバーが取り外された状態の先端部の構成を示す斜視図、図４は先端部を上方から見た断面図、図５は図４の円Ｖの拡大断面図、図６は先端を側方から見た断面図、図７は図６の円ＶＩＩの拡大断面図、図８は内視鏡内部を模式的に示す断面図、図９は先端カバーおよび可撓性チューブが外され、洗浄管路が接続された内視鏡内部を模式的に示す断面図、図１０は先端カバーが外され、可撓性チューブが取り外された先端部を示す上面図である。【００１３】
本実施の形態の内視鏡２は、挿入部５と、操作部６と、ユニバーサルケーブル７とを有している。挿入部５は、観察対象部位へ長手軸方向の先端側から挿入される細長な長尺部材である。挿入部５は、先端部８と、湾曲部９と、可撓管部１０とを連設して構成されている。【００１４】
先端部８にはライトガイドを備える照明光学系、撮像装置を備える撮像光学系が内蔵され、先端面にはノズル、処置具導出口を兼用する吸引口が設けられている（ここでは何れも不図示）。【００１５】
この先端部８には、挿入部５の挿入方向に対して、所定の角度を有する観察窓および照明窓が設けられており、処置具を起上して観察方向に変換する方向変換部としての可動部である起上台４２が配設されている。【００１６】
この起上台４２は、挿入部５および操作部６内に挿通される長尺部材である牽引弛緩部材としての起上台操作ワイヤ（以下、単にワイヤと略記する）４１に接続されている。このワイヤ４１が牽引弛緩されることで起上台４２の起伏操作がなされる。なお、ワイヤ４１は、起上台操作レバー１６の操作によって牽引弛緩される。【００１７】
湾曲部９は、例えば上下左右の四方向に湾曲自在に構成されている。可撓管部１０は、長尺で可撓性を有する管状部材である。【００１８】
操作部６は、把持部６ａを備え、この把持部６ａが挿入部５の基端部に連設しており、処置具挿入口６ｂが配設されている。【００１９】
操作部６には、湾曲操作部１１、送気送水ボタン１３、吸引ボタン１４、洗浄チューブ取付口金１５などが設けられている。また、操作部６には、操作部材としての起上台操作レバー１６が設けられている。【００２０】
湾曲操作部１１は、挿入部５の湾曲部９の湾曲操作を行うための湾曲操作ノブ１１ａと、この湾曲操作ノブ１１ａを所望の回転位置で固定するための固定レバー１１ｂとを有している。【００２１】
ユニバーサルケーブル７は、操作部６の側面より延出されている。ユニバーサルケーブル７の端部には外部機器である光源装置に接続される内視鏡コネクタ３０が設けられている。この内視鏡コネクタ３０は、側部から信号伝達ケーブル３３が延設されている。信号伝達ケーブル３３の他端側には、ビデオプロセッサに接続される電気コネクタ３４が設けられている。【００２２】
図２および図３に示すように、挿入部５の先端部８には、ステンレスなどの金属から形成された先端構成部２１が設けられている。この先端構成部２１には、ステンレスなどの金属から形成された起上台４２が回動自在に配設されている。【００２３】
先端構成部２１は、図２に示す挿入軸Ｘに対して直交する一側面に観察窓２２および照明窓２３が設けられている。また、先端構成部２１には、観察窓２２および照明窓２３に向けて送気送水するためのノズル２４が設けられている。【００２４】
起上台４２は、回動自在に設けられ、回動軸２７によって先端構成部２１に軸支されている。この起上台４２は、先端部８においてシリコーンゴムなどから形成された伸縮自在で柔軟な可撓性チューブ５１に挿通されたワイヤ４１が着脱自在に接続されており、ワイヤ４１の牽引弛緩操作によって回動軸２７回りに起伏する。【００２５】
先端構成部２１には、プラスチックなどの合成樹脂から形成された先端カバー６１が着脱自在に装着される。この先端カバー６１は、基端周方向にゴムリング６２が設けられている。また、先端カバー６１は、観察窓２２、照明窓２３を露出し、起上台４２によって起伏される処置具１００などを導出するための開口部６３を有している。【００２６】
この先端カバー６１は、先端構成部２１を覆うように装着される。このとき、先端カバー６１の内周面に設けられた規制凸部６４が先端構成部２１に形成された規制凹部２５に係入される。これにより、先端構成部２１への先端カバー６１の装着方向が規定される。【００２７】
そして、先端カバー６１は、先端構成部２１の側部から突出するように設けられた係止ピン２６に内周部に形成された係止凹部２９が係合することで先端構成部２１に装着固定される。【００２８】
図４に示すように、先端部８は、先端構成部２１の基端部分に湾曲部９に設けられる図示しない湾曲駒の最先端に設けられた硬質な管状部材６８が嵌着されている。【００２９】
この管状部材６８の外周には、先端構成部２１の基端外周部を一体的に被覆するチューブ状の湾曲ゴム６９が設けられ、この湾曲ゴム６９の先端部分は、糸巻接着部６９ａによって固着されている。【００３０】
ノズル２４は、中途部分が先端構成部２１に貫挿されており、基端部分に送気送液チューブ６５が接続されている。また、挿入部５内に配設されたワイヤ４１を被覆する、例えばコイルチューブであるワイヤ被覆チューブ６７が先端構成部２１に嵌合された口金６６に接続されている。なお、ワイヤ４１は、先端構成部２１から可撓性チューブ５１内に挿通して起上台４２に接続される。【００３１】
このワイヤ４１の先端には、図５に示すように、起上台４２に着脱自在な接続体である外形略柱状のワイヤ端末部材４３が設けられている。このワイヤ端末部材４３は、接続されるワイヤ４１の長手軸に直交する方向に貫通孔４３ａが穿孔されている。【００３２】
先端部８においてワイヤ４１を被覆する可撓性チューブ５１は、チューブ本体５２の先端内周部に周方向に凸部５３が形成されている。そして、チューブ本体５２の先端外周部には、ステンレスなどの金属から形成された先端口金部材５４が設けられている。【００３３】
なお、チューブ本体５２の凸部５３は、ワイヤ４１の先端に設けられたワイヤ端末部材４３の外周面に密着して水密保持する。また、先端口金部材５４は、チューブ本体５２の先端部分が外径方向に膨らんで変形することを抑制している。【００３４】
起上台４２は、ワイヤ４１の長手方向に直交する短手方向の側部から突出するように、ワイヤ接続部であるワイヤ取付部材４４が嵌合されている。そして、ワイヤ取付部材４４の端部には、細径の突起部４４ａが設けられている。【００３５】
この突起部４４ａがワイヤ端末部材４３の貫通孔４３ａへ挿抜することにより、ワイヤ端末部材４３の装着脱が行われる。これにより、ワイヤ４１と起上台４２との着脱が自在となる。【００３６】
なお、ワイヤ４１と起上台４２との接続部分は、先端構成部２１への先端カバー６１の装着により、ワイヤ端末部材４３が先端カバー６１の内側面によって矢印Ｒ方向への移動が規制されて、ワイヤ取付部材４４の突起部４４ａから脱離しないようになる。【００３７】
これにより、ワイヤ４１が起上台４２から外れず、可撓性チューブ５１がワイヤ４１から抜けないようになっている。【００３８】
図６に示すように、先端構成部２１は、起上台４２が配設される軸方向の基端部分にチューブ体である処置具チャンネル７２が接続される接続管７１が嵌合されている。なお、処置具チャンネル７２内に挿通された処置具（不図示）が先端部８まで導入されて、起上台４２の起伏によって処置具の導出方向が可変される。【００３９】
可撓性チューブ５１の基端部分は、図７に示すように、基端シール部となる外向フランジ５５が形成されている。なお、可撓性チューブ５１は、基端部分が先端構成部２１に係合され、先端構成部２１への先端カバー６１の装着により、外向フランジ５５の先端側の端面が先端カバー６１の基端面６１ａの一部分が当接して、矢印Ｂに示す基端側に押し付けられる。【００４０】
これにより、可撓性チューブ５１の外向フランジ５５は、先端構成部２１との凹部状の係合部に嵌まり込み、基端側に押し付けられることで可撓性チューブ５１と先端構成部２１との接続部分の水密を保持する。【００４１】
ところで、内視鏡１は、図８に示すように、操作部６内に洗浄チューブ取付口金１５に連通する洗浄管路１０１が設けられている。この洗浄管路１０１は、シリンダ１０２に接続されている。【００４２】
このシリンダ１０２には、ピストンであるワイヤシャフト１０３が進退自在に設けられている。ワイヤシャフト１０３には、水密保持するＯリング１０４が外周部中途に設けられ、基端にリンク部材１０５が回動自在に接続されている。【００４３】
リンク部材１０５は、起上台操作レバー１６と回動自在に接続されている。そして、シリンダ１０２は、ワイヤ挿通管路としてのワイヤ被覆チューブ６７が連通している。【００４４】
以上のように構成された内視鏡１は、洗浄消毒時に、図９に示すように、洗浄チューブ取付口金１５に洗浄チューブ１１０が接続され、洗浄液、消毒液、アルコールなどの液体が送液されることでワイヤ被覆チューブ６７内が洗浄消毒およびフラッシング処理される。【００４５】
このとき、先端部８の先端カバー６１が先端構成部２１から取り外され、可撓性チューブ５１がワイヤ４１から抜き取られる。【００４６】
具体的には、先端構成部２１から先端カバー６１が取り外された後、図１０に示すように、ワイヤ４１の先端に設けられたワイヤ端末部材４３が起上台４２のワイヤ取付部材４４から側方に向けて抜き取られて脱離される。そして、可撓性チューブ５１がワイヤ４１から先端側に向けて抜き取られる。【００４７】
このように、内視鏡１は、先端部８の先端カバー６１を取り外すことで、先端部８内に設けられる可撓性チューブ５１をワイヤ４１から簡単に取り外すことができる。これにより、先端構成部２１が開放されると共に、ワイヤ４１の先端部分も完全に露出した状態となる。【００４８】
この状態で、内視鏡１は、複雑形状をした先端構成部２１の外表面を洗浄消毒およびフラッシング処理を容易に行えると共に、ワイヤ被覆チューブ６７内に洗浄液、消毒液、アルコールなどの液体が送液されることで、ワイヤ被覆チューブ６７内およびワイヤ４１の洗浄消毒およびフラッシングを容易に行える構成となる。【００４９】
さらに、内視鏡１は、ワイヤ４１が挿通し、先端部８に設けられる可撓性チューブ５１が起上台４２により起伏される処置具などが接触して損傷した場合でも、先端カバー６１を先端構成部２１から取り外すことで容易に交換することができる。【００５０】
なお、先端部８から取り外した先端カバー６１および可撓性チューブ５１も洗浄消毒およびフラッシング処理が容易に行える。なお、先端カバー６１および可撓性チューブ５１は、都度使用後に廃棄されるディスポーザブルとしてもよい。【００５１】
以上に説明したように、内視鏡１は、先端部８に設けられた可撓性チューブ５１を容易に取り外すことができるため、洗浄消毒時およびフラッシング処理の手間を軽減できる構成となり、これらの工程の時間軽減と医療従事者である洗浄消毒作業者の負担を軽減することができる構成となる。【００５２】
以上により、内視鏡１は、挿入部５の先端部８に設けられた可動部である起上台４２を駆動するワイヤ４１を被覆する可撓性チューブ５１の交換および洗浄消毒、フラッシングなどを容易にでき医療従事者の負担を軽減する構成とすることができる。【００５３】
（第１の変形例）
図１１は、第１の変形例のタグが取り付けられた可撓性チューブの構成を示す断面図である。  
可撓性チューブ５１は、未使用または洗浄消毒済みを表示するタグ１０６を付けて、内視鏡検査直前にタグ１０６を切り離すようにする構成としてもよい。このタグ１０６を付けることで、汚染された可撓性チューブ５１の使用、使用済み可撓性チューブ５１の洗浄消毒し忘れなどを防止することができる。【００５４】
なお、タグ１０６は、その大きさや長さが目立つように、または内視鏡画像に入り込むような大きさ長さを有したほうが好ましい。【００５５】
（第２の変形例）
図１２は、第２の変形例の先端部を上方から見た断面図、図１３は第２の変形例の可撓性チューブの構成を示す断面図である。  
図１２および図１３に示すように、可撓性チューブ５１は、基端部分にステンレスなどの金属または硬質樹脂から形成された基端口金５６を有していてもよい。【００５６】
なお、基端口金５６は、図１３に示すように、外向フランジ５７が設けられ、この外向フランジ５７よりも基端側の外周部に水密保持のためのＯリング５８が設けられている。【００５７】
なお、ここでの可撓性チューブ５１は、チューブ本体５２の先端部分に先端口金部材５４を有していない形態となっている。【００５８】
（第３の変形例）
図１４は、第３の変形例の先端部を上方から見た断面図、図１５は第３の変形例の可撓性チューブの構成を示す断面図である。  
図１４および図１５に示すように、可撓性チューブ５１は、第２の変形例と同様に、基端部分にステンレスなどの金属または硬質樹脂から形成された基端口金５６を有しており、この基端口金５６にＯリング５８が設けられていない形態である。【００５９】
また、可撓性チューブ５１は、チューブ本体５２の先端部分に先端口金部材５４を有していない水密保持用の凸部５３を有していない形態となっている。このような構成とすることで、可撓性チューブ５１は、安価に製造でき、特にディスポーザブルとする場合に有効となる。【００６０】
さらに、ワイヤ取付部材４４および突起部４４ａは、図１４に示すように、起上台４２と一体的に形成されていてもよい。【００６１】
（第４の変形例）
図１６は、第４の変形例の先端部を側方から見た断面図、図１７は第４の変形例の可撓性チューブに挿通する起上台操作ワイヤの先端部分の構成を示す断面図、図１８は第４の変形例のワイヤと起上台の接続状態を示す断面図である。  
ワイヤ４１と起上台４２との接続形態は、図１６から図１８に示すように、ワイヤ４１の先端に設けられるワイヤ端末部材４３に点対称の凹部４３ｂを形成し、起上台４２のワイヤ取付部材４４の端部をワイヤ端末部材４３の２つの凹部４３ｂに係合する２つの突起部４４ｂを有した構成としてもよい。【００６２】
（第５の変形例）
図１９は、第５の変形例の先端部を上方から見た断面図、図２０は第５の変形例の先端部の上面図である。  
ワイヤ４１と起上台４２との接続形態は、図１９および図２０に示すように、起上台４２の側面で開口する孔部４２ａを形成し、この孔部４２ａに差し込む回動軸４６回りに回動自在な棒体４５をワイヤ取付部材４４に設けた構成としてもよい。【００６３】
なお、棒体４５をワイヤ取付部材４４の軸に合わせて真直ぐな状態とすることで、可撓性チューブ５１をワイヤ４１から抜き取ることができる。【００６４】
（第６の変形例）
図２１は、第６の変形例の先端部を側方から見た断面図、図２２は第６の変形例のワイヤと起上台の接続状態を示す断面図、図２３は第６の変形例の可撓性チューブが圧縮された状態の先端部を側方から見た断面図、図２４は第６の変形例の可撓性チューブが圧縮された状態のワイヤと起上台の接続状態を示す断面図、図２５は第６の変形例の先端カバーが取り外された先端部の構成を示す斜視図、図２６は第６の変形例の可撓性チューブが圧縮された状態の先端カバーが取り外された先端部の構成を示す斜視図、図２７は第６の変形例の先端カバーが取り外された先端部の側面図である。  
図２１および図２２に示すように、起上台４２のワイヤ取付部材４４に可撓性チューブ５１の先端口金部材５４の先端が係合する凹部状の係止溝４４ｃを形成してもよい。【００６５】
具体的には、係止溝４４ｃは、ワイヤ取付部材４４の外周基端部分に凹状に形成され、可撓性チューブ５１のチューブ本体５２の自然長に戻る付勢力によって管状の先端口金部材５４の先端一部が係合される。【００６６】
この状態において、ワイヤ４１の先端に設けられたワイヤ端末部材４３の貫通孔４３ａにワイヤ取付部材４４の突起部４４ａが挿入しているワイヤ４１と起上台４２との接続がロックされる。【００６７】
また、図２３および図２４に示すように、可撓性チューブ５１を長手軸方向に沿って圧縮することで、チューブ本体５２が縮まり、ワイヤ取付部材４４の係止溝４４ｃと先端口金部材５４の係合が解除され、ワイヤ端末部材４３をワイヤ取付部材４４から取り外すことができる。そして、ワイヤ４１から可撓性チューブ５１を抜き取ることができる。【００６８】
即ち、図２５に示すように、可撓性チューブ５１は、チューブ本体５２の付勢力によって管状の先端口金部材５４の先端一部が係合された状態となる所定の自然長Ｌ１が設定されおり、図２６に示すように、可撓性チューブ５１を基端方向に圧縮してチューブ本体５２を縮めて長さＬ２とすることで、ワイヤ取付部材４４の係止溝４４ｃと先端口金部材５４の係合が解除される。この状態で、ワイヤ端末部材４３をワイヤ取付部材４４から取り外すことができる。【００６９】
このような構成とすることで、先端構成部２１から先端カバー６１を取り外しても、ワイヤ４１と起上台４２との接続状態が維持され、ワイヤ４１が自然に起上台４２から外れることが防止される。【００７０】
なお、図２１に示した、先端構成部２１に先端カバー６１が取り付けられた状態において、起上台４２の倒置が位置から、図２７に示すように、先端構成部２１から先端カバー６１を取り外すことで、起上台４２がさらに回動（ここでは紙面に向かって見た右回り）できるようにし、起上台４２の倒置が最大となるように設定してもよい。【００７１】
即ち、起上台４２は、先端カバー６１を先端構成部２１に取り付けることで、先端カバー６１に当接して若干起き上がるように設定する。そして、可撓性チューブ５１を先端口金部材５４の先端一部が係合された状態となる所定の自然長Ｌ１に設定する。【００７２】
このような構成により、先端構成部２１から先端カバー６１を取り外し、起上台４２が最大倒置した状態のとき、ワイヤ取付部材４４の係止溝４４ｃから先端口金部材５４が自然に外れ、ワイヤ端末部材４３をワイヤ取付部材４４から取り外すことができる。【００７３】
これにより、ワイヤ４１を起上台４２から取り外す際に、可撓性チューブ５１を圧縮して、チューブ本体５２を縮める動作が必要なくなる。【００７４】
（第７の変形例）
図２８は、第７の変形例の視野方向が直視の内視鏡の先端部を示す分解斜視図、図２９は第７の変形例の視野方向が直視の内視鏡の先端部を示す斜視図である。【００７５】
以上に記載の技術は、視野方向が側視または斜視の内視鏡１の構成を例示したが、これに限定されることなく、図２８および図２９に示すように、直視の視野方向を有し、先端構成部２１に先端カバー６１が装着脱され、先端部８に可動部である起上台４２が設けられる内視鏡の構成にも適用可能である。【００７６】
（参考例）
図３０は、参考例の内視鏡の洗浄具を示す平面図である。  
図３０に示すように、内視鏡１を洗浄消毒する洗浄具２００の一例を以下に説明する。【００７７】
洗浄具２００は、内視鏡１が収容される洗浄曹２０１と、洗浄液、消毒液などの液体が入れられた液体収容曹２０２を有している。【００７８】
また、洗浄具２００は、内視鏡１の洗浄チューブ取付口金１５に接続される洗浄チューブ１１０と、先端カバー６１および可撓性チューブ５１が取り外された先端部８に装着される洗浄具本体２０３と、この洗浄具本体２０３に一端が接続される第１の送液チューブ１１１および第２の送液チューブ１１２と、を有している。【００７９】
また、洗浄チューブ１１０は、第１の送液チューブ１１１の中途に設けられる三方活栓２０６に接続されている。【００８０】
第１の送液チューブ１１１は、第１のシリンジ２０４が三方活栓２０６よりも液体収容曹２０２の側の中途部分に接続されて、液体収容曹２０２に他端部が入れられている。第２の送液チューブ１１２は、第２のシリンジ２０５が中途部分に接続されて、液体収容曹２０２に他端部が入れられている。【００８１】
このように構成された洗浄具２００は、第１のシリンジ２０４および第２のシリンジ２０５によって、液体収容曹２０２の洗浄液、消毒液などの液体を内視鏡１に供給して、内視鏡１の洗浄消毒が行える。【００８２】
なお、ユーザは、三方活栓２０６の管路切り換えによって、第１のシリンジ２０４による送液経路を洗浄チューブ１１０と第１の送液チューブ１１１に切り替え、内視鏡１内のワイヤ被覆チューブ６７と洗浄具本体２０３に収容されている先端部８の起上台４２周りの洗浄消毒を行う。【００８３】
このとき、洗浄具２００は、洗浄液、消毒液などの液体が三方活栓２０６によって洗浄チューブ１１０と第１の送液チューブ１１１の一方に送液されるため、ワイヤ被覆チューブ６７または先端部８の起上台４２周りに強力な大量の液体を送液でき、内視鏡１の洗浄消毒が容易となる。【００８４】
なお、上述の内視鏡１は、処置具を起伏する起上台４２を有する構成を例示したが、これに限定されることなく、起上台４２に変えて、処置具などを揺動する可動部としての揺動台を有する構成としてもよい。【００８５】
以上に記載した各実施の形態および変形例の構成は、それぞれを組み合わせたものとしてもよく、その他、実施段階ではその要旨を逸脱しない範囲で種々の変形を実施し得ることが可能である。さらに、上記各実施の形態には、種々の段階の発明が含まれており、開示される複数の構成要件における適宜な組合せにより種々の発明が抽出され得るものである。【００８６】
例えば、各実施の形態に示される全構成要件から幾つかの構成要件が削除されても、述べられている課題が解決でき、述べられている効果が得られる場合には、この構成要件が削除された構成が発明として抽出され得るものである。【００８７】
本発明によれば、挿入部の先端部に設けられた可動部を駆動するワイヤを被覆するチューブの交換修理および洗浄消毒を容易にし、洗浄消毒時の医療従事者の負担を軽減する内視鏡を提供することができる。【００８８】
本出願は、２０１８年２月１５日に日本国に出願された特願２０１８−０２４９１４号を優先権主張の基礎として出願するものであり、上記の開示内容は、本願明細書、請求の範囲に引用されるものとする。
【図１】
2019159507.tif 000003
【図２】
2019159507.tif 000004
【図３】
2019159507.tif 000005
【図４】
2019159507.tif 000006
【図５】
2019159507.tif 000007
【図６】
2019159507.tif 000008
【図７】
2019159507.tif 000009
【図８】
2019159507.tif 000010
【図９】
2019159507.tif 000011
【図１０】
2019159507.tif 000012
【図１１】
2019159507.tif 000013
【図１２】
2019159507.tif 000014
【図１３】
2019159507.tif 000015
【図１４】
2019159507.tif 000016
【図１５】
2019159507.tif 000017
【図１６】
2019159507.tif 000018
【図１７】
2019159507.tif 000019
【図１８】
2019159507.tif 000020
【図１９】
2019159507.tif 000021
【図２０】
2019159507.tif 000022
【図２１】
2019159507.tif 000023
【図２２】
2019159507.tif 000024
【図２３】
2019159507.tif 000025
【図２４】
2019159507.tif 000026
【図２５】
2019159507.tif 000027
【図２６】
2019159507.tif 000028
【図２７】
2019159507.tif 000029
【図２８】
2019159507.tif 000030
【図２９】
2019159507.tif 000031
【図３０】
2019159507.tif 000032
【国際調査報告】
2019159507.tif 000033
2019159507.tif 000034
2019159507.tif 000035
2019159507.tif 000036